(57)【要約】【課題】バーナ部周辺の清掃性の向上を図るとともに、点火電極に対する外的負荷や煮こぼれ汚れによるコンロバーナの点火不良を防止すること。【解決手段】バーナ部２Ａを天板１１のバーナ用開口１１０から上方へ突出して設け、バーナ用開口１１０の周縁とバーナ部２Ａの外周面との間隙Ｓ１を天板１１の上面側から覆うバーナリング２４を設け、コンロ筐体内１０に、コンロバーナ２を点火させるためのパイロットバーナ３３と、パイロットバーナ３３を点火させるための点火電極３４とを設け、バーナ部２Ａの外周面に、コンロバーナ２へ供給されるガスを噴出する主炎孔２２０と、点火電極３４により点火されたパイロットバーナ３３の点火炎を主炎孔２２０へ導出する点火炎出口２１０とを設け、前記点火炎が、主炎孔２２０へガスを導くガス導通路Ｓ２と区画分離された火炎導通路Ｓ３を通じて、点火炎出口２１０へ導かれる構成とした。【選択図】図２
2013253708.tif 000002
【特許請求の範囲】
【請求項１】
コンロバーナのバーナ部が、コンロ筐体の天板に開設されたバーナ用開口から上方へ突出して設けられたガスコンロであって、
バーナ用開口の周縁とバーナ部の外周面との間隙を上方から覆うバーナリングが設けられ、
コンロ筐体内に、コンロバーナを点火させるためのパイロットバーナと、パイロットバーナを点火させるための点火電極とが設けられ、
前記バーナ部の外周面に、コンロバーナへ供給されるガスを噴出する複数の主炎孔と、点火電極により点火されたパイロットバーナの点火炎を前記主炎孔へ導出する点火炎出口とが設けられ、
前記点火炎は、前記主炎孔へガスを導くガス導通路と区画分離された火炎導通路を通じて、前記点火炎出口へ導かれる、ガスコンロ。
【請求項２】
請求項１に記載のガスコンロにおいて、
バーナ部の外周面で且つ前記主炎孔の下方位置に、前記点火炎出口が設けられた、ガスコンロ。
【請求項３】
請求項１または２に記載のガスコンロにおいて、
バーナリングの上面より上方位置に、前記点火炎出口が設けられた、ガスコンロ。
【請求項４】
請求項１から３のいずれかに記載のガスコンロにおいて、
前記点火炎出口の上縁部に、バーナ部の外周側へ斜め上向きの傾斜面が設けられた、ガスコンロ。
【請求項５】
請求項１から４のいずれかに記載のガスコンロにおいて、
前記点火炎出口の下縁部に、バーナ部の外周側へ斜め下向きの傾斜面が設けられた、ガスコンロ。
【請求項６】
請求項１から５のいずれかに記載のガスコンロにおいて、
バーナ部のバーナボディとバーナリングとが一体に形成された、ガスコンロ。
【請求項７】
請求項１から６のいずれかに記載のガスコンロにおいて、
前記点火炎出口の下縁部が、バーナ部の外周面で且つ点火炎出口の側方位置に設けられる主炎孔の下縁部と同一高さに設定された、ガスコンロ。
【発明の詳細な説明】
【技術分野】
【０００１】
本発明は、ガスコンロ、特に、天板に設けたバーナ用開口の周縁とガスバーナの主炎孔を構成しているバーナ部の外周面との間隙にバーナリングが配設されるシールドバーナ構造を有するコンロバーナを備えたガスコンロに関する。
【背景技術】
【０００２】
天板に開設されたバーナ用開口から外炎式のコンロバーナのバーナ部が上方へ突出して設けられた従来のガスコンロにおいて、コンロ筐体内への煮こぼれの侵入を防止するため、上記バーナ用開口の周縁とバーナ部の外周面との間隙を上方からリング部材で覆った所謂シールドバーナ構造を有するものが知られている（例えば、特許文献１参照）。
【先行技術文献】
【特許文献】
【０００３】
【特許文献１】特開２００８−２４９１７８号公報
【発明の概要】
【発明が解決しようとする課題】
【０００４】
しかしながら、図７に示すように、上記従来のガスコンロ６では、コンロバーナ７を点火させるための点火電極８４が、リング部材７４の上面側からバーナ部７Ａの外周に設けられた炎孔７２０付近まで突出して設けられているため、点火時に点火電極８４から適切に火花放電が生じているかどうかの視認性には優れているものの、バーナ部７Ａの周辺を清掃する際、点火電極８４の先端部が尖って露出しているため、その先端部に手や清掃具が引っかかって邪魔になる。また、清掃具や五徳６２等が点火電極８４に接触すれば、その外的負荷によって放電距離のズレや点火電極８４に不具合が生じて放電異常を引き起こし、コンロバーナ７の点火不良を招く虞もある。
【０００５】
さらに、リング部材７４の上面に点火電極８４を露出させた構成であるため、点火電極８４の放電部やその周辺に煮こぼれが付着し易く、その煮こぼれ汚れを起因として放電異常を引き起こし、コンロバーナ７の点火不良を招く虞もある。
【０００６】
本発明は、上述の事情に鑑みてなされたものであり、その目的は、シールドバーナ構造を有するコンロバーナを備えたガスコンロにおいて、バーナ部周辺の清掃性の向上を図るとともに、点火電極に対する外的負荷や煮こぼれ汚れを起因とするコンロバーナの点火不良を防止することにある。
【課題を解決するための手段】
【０００７】
本発明は、コンロバーナのバーナ部が、コンロ筐体の天板に開設されたバーナ用開口から上方へ突出して設けられたガスコンロであって、バーナ用開口の周縁とバーナ部の外周面との間隙を上方から覆うバーナリングが設けられ、コンロ筐体内に、コンロバーナを点火させるためのパイロットバーナと、パイロットバーナを点火させるための点火電極とが設けられ、前記バーナ部の外周面に、コンロバーナへ供給されるガスを噴出する複数の主炎孔と、点火電極により点火されたパイロットバーナの点火炎を前記主炎孔へ導出する点火炎出口とが設けられ、前記点火炎は、前記主炎孔へガスを導くガス導通路と区画分離された火炎導通路を通じて、前記点火炎出口へ導かれるものである。
【０００８】
上記ガスコンロでは、コンロ筐体の内部にパイロットバーナが設けられており、このパイロットバーナの点火炎によってコンロバーナが点火されるから、コンロバーナを点火するための点火電極をバーナリングの上面側に突出して設ける必要がない。従って、そのような点火電極がバーナ部周辺の清掃の邪魔になることもない。
【０００９】
また、パイロットバーナを点火するための点火電極が、バーナリングで覆われたバーナ用開口の周縁とバーナ部の外周面との間隙の下方位置に設けられているから、外的負荷や煮こぼれ汚れを起因とする点火電極の放電異常も生じ難い。従って、上記点火炎を主炎孔へ確実に導くことができる。
【００１０】
さらに、主炎孔と点火炎出口とがバーナ部の外周面に別個に設けられており、その点火炎出口へ点火炎を導く火炎導通路は、主炎孔へガスを導くガス導通路と、その主炎孔まで区画分離されているから、点火炎が主炎孔からガス通路内へ進入する逆火も防止できる。
【００１１】
上記ガスコンロにおいて、バーナ部の外周面で且つ前記主炎孔の下方位置に、前記点火炎出口が設けられたものであるのが望ましい。
【００１２】
このものでは、火炎導通路を通じて点火炎出口の外部上方へ導出される点火炎が速やかに主炎孔へ到達するから、その主炎孔から噴出されるガスに火移りし易い。
【００１３】
また、バーナ部の外周面に点火炎出口を外周向きに設けたことにより、そのバーナ部の上方から流れ落ちてくる煮こぼれが火炎導通路を通じてコンロ筐体の内部へ侵入し難いから、点火電極の放電部やその周辺への煮こぼれの付着を確実に防止できる。
【００１４】
さらに、点火炎出口が主炎孔に干渉されず、バーナ部の外周面の全周に亘って均一に主炎孔を配置することができるから、バーナ部の外周に炎を均一に分布させることが可能である。これにより、調理器具に対する加熱ムラが低減する。
【００１５】
上記ガスコンロにおいて、バーナリングの上面より上方位置に、前記点火炎出口が設けられたものであるのが望ましい。
【００１６】
このものでは、バーナリングの上面に流れ落ちた煮こぼれが点火炎出口を通じてコンロ筐体の内部に侵入し難いから、点火電極の放電部やその周辺への煮こぼれの付着をより確実に防止できる。
【００１７】
上記ガスコンロにおいて、前記点火炎出口の上縁部に、バーナ部の外周側へ斜め上向きの傾斜面が設けられたものであるのが望ましい。
【００１８】
このものでは、パイロットバーナから火炎導通路へ送り込まれた点火炎が斜め上方へ向けて導出されるから、その点火炎出口上方の主炎孔から噴出されるガスに点火炎が一層火移りし易い。
【００１９】
上記ガスコンロにおいて、前記点火炎出口の下縁部に、バーナ部の外周側へ斜め下向きの傾斜面が設けられたものであるのが望ましい。
【００２０】
このものでは、点火炎出口の下縁部周辺に流れ落ちた煮こぼれがバーナ部の外周側下方へ導かれるから、火炎導通路を通じてコンロ筐体の内部へ侵入し難い。従って、点火電極の放電部やその周辺への煮こぼれの付着をより確実に防止できる。
【００２１】
上記ガスコンロにおいて、好ましくは、バーナ部のバーナボディとバーナリングとが一体に形成される。
【００２２】
このものでは、バーナ部の上方から流れ落ちてくる煮こぼれがコンロ筐体の内部へ侵入し難く、点火電極の放電部やその周辺への煮こぼれの付着をより確実に防止できる。
【００２３】
上記ガスコンロにおいて、好ましくは、前記点火炎出口の下縁部が、バーナ部の外周面で且つ点火炎出口の側方位置に設けられる主炎孔の下縁部と同一高さに設定される。
【００２４】
このものでは、点火炎出口から導出される点火炎が速やかにその点火炎出口の側方位置に設けられた主炎孔へ到達するから、その主炎孔から噴出されるガスに点火炎が火移りし易い。
【発明の効果】
【００２５】
以上のように、本発明によれば、点火電極が清掃の邪魔にならないから、バーナ部周辺の清掃性が向上する。また、点火電極に対する外的負荷や煮こぼれ汚れを起因とする放電異常も生じ難いから、コンロバーナの点火不良を防止できる。
【図面の簡単な説明】
【００２６】
【図１】図１は、本発明の実施の形態に係るガスコンロのコンロバーナ周辺を示す概略斜視図である。
【図２】図２は、本発明の実施の形態に係るガスコンロのコンロバーナ周辺の概略縦断面図である。
【図３】図３は、本発明の実施の形態に係るガスコンロのバーナ部周辺の概略斜視図である。
【図４】図４は、本発明の他の実施形態に係るガスコンロのバーナ部周辺の概略斜視図である。
【図５】図５は、本発明の他の実施形態に係るガスコンロのコンロバーナ周辺の概略縦断面図である。
【図６】図６は、本発明の他の実施形態に係るガスコンロのコンロバーナ周辺の概略縦断面図である。
【図７】図７は、従来のガスコンロのコンロバーナ周辺の概略斜視図である。
【発明を実施するための形態】
【００２７】
次に、上記した本発明を実施するための形態について、添付図面を参照しながら詳述する。
【００２８】
図１に示すように、本発明の実施の形態に係るガスコンロ１は、コンロ筐体１０内に外炎式のコンロバーナ２を図示しないガス供給装置や制御装置と共に複数或いは単数収容したものであり、そのコンロ筐体１０の上面を構成する天板１１には、コンロバーナ２のバーナ部２Ａを上方へ突出させる円形のバーナ用開口１１０が開設されている。また、バーナ用開口１１０の周縁上部（天板１１の上面）には、円環状の五徳１２が載置されている。さらに、バーナ部２Ａの中央には、コンロ筐体１０内から鍋底温度センサ３１が突設されている。
【００２９】
コンロバーナ２は、一端が図示しないガス供給装置のガス噴射ノズルに対峙して開口し、他端がバーナ用開口１１０に対峙して開口する混合管２０を有しており、その混合管２０の他端の開口である出口部２０１には、バーナ部２Ａを構成するバーナボディ２１と、バーナヘッド２２と、バーナキャップ２３とがこの順序で上方へ積み重なるように配設されている。
【００３０】
また、バーナボディ２１の外周には、バーナ用開口１１０より大径の円環状のバーナリング２４が一体形成されており、バーナ用開口１１０の内周縁とバーナボディ２１の外周面との間隙Ｓ１は、このバーナリング２４によって天板１１の上面側から覆われている。従って、五徳１２の上部に載置された鍋等の調理器具から煮こぼれが生じても、その煮こぼれは、間隙Ｓ１からコンロ筐体１０の内部へ流れ込むことなく、バーナリング２４の上面を伝って天板１１の上面へ流れ落ちる。
【００３１】
図２に示すように、混合管２０の出口部２０１は、バーナ用開口１１０へ向かって上方に延びる内外二重円筒状に形成されており、この出口部外周壁２０２の上端部にバーナボディ２１の下端部（後述するボディ内周壁２１３の下端部）が嵌合され、出口部内周壁２０３の上端部は、バーナヘッド２２の下端部（後述するヘッド内周壁２２３の下端部）に嵌合される。一方、出口部内周壁２０３は、バーナボディ２１の内側の空間を通ってその上域まで延設されており、バーナボディ２１の内部には、これら出口部内周壁２０３や後述するボディ内周壁２１３によって、上下に開放する環状の空間（以下「ガス導通路」という）Ｓ２が画成されている。
【００３２】
バーナヘッド２２は、上記ガス導通路Ｓ２を上方から覆うようにバーナボディ２１の上部に取り付けられている。また、バーナヘッド２２は、内外二重円筒状に形成されており、この内周壁（以下、「ヘッド内周壁」という）２２３の下端部が混合管２０の出口部内周壁２０３の上端部に嵌合され、外周壁（以下、「ヘッド外周壁」という）２２２の下端部は、バーナボディ２１の上面に当接支持されている。
【００３３】
ヘッド外周壁２２２の下端部には、上記ガス導通路Ｓ２へ繋がる複数のスリット状の主炎孔２２０が外周向きに開設されており、混合管２０の出口部２０１からガス導通路Ｓ２内へ送り込まれた混合ガスは、この主炎孔２２０を通じてバーナヘッド２２の外周側へ噴出される。
【００３４】
バーナボディ２１は、内外二重円筒状に形成されており、この内周壁（以下、「ボディ内周壁」という）２１３の下端部が混合管２０の出口部外周壁２０２の上端部に嵌合されている。バーナリング２４は、このバーナボディ２１の外周壁（以下、「ボディ外周壁」という）２１２の下端からバーナ用開口１１０の内周縁より外側へ斜め下向きに広がるように一体形成されており、そのバーナリング２４の外周下端は、天板１１の上面に当接している。尚、バーナボディ２１は、天板１１に対してその下面に添設された図示しないリング下により固定される。
【００３５】
ボディ外周壁２１２は、その壁の厚み寸法分、ヘッド外周壁２２２の外周より大径に設定されている。また、ボディ外周壁２１２の上端外周縁は、その外周方向へ下方傾斜している。
【００３６】
ボディ外周壁２１２とボディ内周壁２１３との上端相互は、上壁（以下、「ボディ上壁」という）２１４で繋がっており、バーナボディ２１の内部で且つガス導通路Ｓ２の外側には、これらの構成壁２１２，２１３，２１４によって、下方へ開放する環状の空間（以下、「火炎導通路」という）Ｓ３が画成されている。
【００３７】
図３に示すように、バーナヘッド２２の外周下端（ヘッド外周壁２２２の下端部）の一部領域には、凹部２２５が設けられている。一方、バーナボディ２１の上部（ボディ上壁２１４の上面）には、上記凹部２２５へ嵌挿される凸部２１５が立設されている。尚、主炎孔２２０は、上記凹部２２５の上縁にも設けられている。
【００３８】
上記凸部２１５の外側面は、バーナヘッド２２の外周面と略同一面に設けられ、その外側面には、後述するパイロットバーナ３３からその火炎導通路Ｓ３へ導かれる点火炎の導出口となる横長矩形状の点火炎出口２１０が主炎孔２２０と同じ外周向きに開設されている。
【００３９】
図２に示したように、点火炎出口２１０の上縁部を構成する凸部２１５の上壁（以下、「凸部上壁」という）２１６は、バーナボディ２１の内周側から外周側へ向かって上方傾斜している。また、点火炎出口２１０の下縁部を構成するボディ外周壁２１２の上端は、バーナボディ２１の中心側から外周面へ向かって下方傾斜している。
【００４０】
コンロ筐体１０の内部空間で且つ上記間隙Ｓ１の下方位置には、コンロバーナ２を点火させるためのパイロットバーナ３３と、そのパイロットバーナ３３を点火させるための点火電極３４とが設けられている。
【００４１】
パイロットバーナ３３は、細長円筒状に形成されており、その一端側のガス噴射口３３０を上記火炎導通路Ｓ３の下端の開放部２１１へ向けた姿勢で配置されている。一方、他端側は図示しないガス供給装置に接続されている。
【００４２】
点火電極３４は、コンロ筐体１０内の取付プレート３５にパイロットバーナ３３と共に固定されており、その先端の放電部をパイロットバーナ３３のガス噴射口３３０に近接させた姿勢で配置されている。また、点火電極３４は、コンロ筐体１０内に組み込まれた図示しないイグナイタに電気配線を通じて接続されている。
【００４３】
このものでは、点火操作がなされると、図示しないイグナイタから点火電極３４へ高電圧が印加され、パイロットバーナ３３のガス噴射口３３０周辺へ火花放電させる。また、その点火操作に伴ってパイロットバーナ３３側に設けられた図示しないガス供給装置の電磁弁が開かれ、パイロットバーナ３３へ所定量のガスが供給される。さらにこのパイロットバーナ３３へ供給されたガスは、ガス噴射口３３０から火炎導通路Ｓ３内へ向けて噴射され、上述した火花放電によって点火される。そして、この点火炎は、火炎導通路Ｓ３を通って点火炎出口２１０へ導かれ、バーナヘッド２２の外周側（主炎孔２２０の外側）へ導出される。
【００４４】
一方、点火操作に伴ってコンロバーナ２側の図示しないガス供給装置の電磁弁が開かれると、混合管２０へ供給される所定量のガスがコンロ筐体１０内の空気と共に混合ガスとしてバーナボディ２１のガス導通路Ｓ２へ送り込まれ、さらにバーナヘッド２２の主炎孔２２０を通じてバーナヘッド２２の外周側へ噴出され、上述した点火炎によって点火される。
【００４５】
このように、上記実施の形態に係るガスコンロ１によれば、コンロ筐体１０内部のパイロットバーナ３３から噴出され、主炎孔２２０へ導かれるガスの点火炎によってコンロバーナ２の点火がなされるから、コンロバーナ２を点火するための点火電極をバーナリング２４の上面側に突出して設ける必要がない。従って、そのような点火電極がバーナボディ２１やバーナヘッド２２周辺の清掃の邪魔になることもない。よって、バーナ部２Ａ周辺の清掃性が向上する。
【００４６】
また、パイロットバーナ３３を点火するための点火電極３４が、バーナリング２４で覆われたバーナ用開口１１０の内周縁とバーナボディ２１の外周面との間隙Ｓ１の下方位置に設けられているから、外的負荷や煮こぼれ汚れを起因とする点火電極３４の放電異常を生じ難く、パイロットバーナ３３の点火炎を主炎孔２２０へ確実に導くことができる。よって、点火炎がその主炎孔２２０から噴出されるガスに火移りし易く、コンロバーナ２の点火不良も防止できる。
【００４７】
さらに、コンロ筐体１０の内部に点火電極３４を収容した構成であるため、バーナリング２４の上面に余分な出っ張りが少なく、バーナ部２Ａの周辺に煮こぼれ等の汚れが蓄積し難い。また、外観面においても優れたガスコンロを提供することも可能である。
【００４８】
そして、主炎孔２２０と点火炎出口２１０とがバーナ部２Ａの外周面に別個に設けられており、その点火炎出口２１０へ点火炎を導く火炎導通路Ｓ３は、主炎孔２２０へガスを導くガス導通路Ｓ２と、その主炎孔２２０まで区画分離されているから、パイロットバーナ３３の点火炎がガス導通路Ｓ２内へ進入する逆火も防止できる。
【００４９】
また、このものでは、点火炎出口２１０がバーナ部２Ａの外周面（凸部２１５の外側面）で且つ主炎孔２２０の下方位置に設けられているから、その点火炎出口２１０の外部上方へ導出される点火炎が、速やかに凹部２２５の上縁に設けられた主炎孔２２０へ到達する。従って、その点火炎が主炎孔２２０から噴出される混合ガスに火移りし易く、コンロバーナ２の点火不良を確実に防止できる。
【００５０】
特に、このものでは、バーナ部２Ａの外周面に点火炎出口２１０が外周向きに設けられているため、バーナ部２Ａの上方から流れ落ちてくる煮こぼれが火炎導通路Ｓ２を通じてコンロ筐体１０の内部へ侵入し難い。これにより、点火電極３４の放電部やその周辺への煮こぼれの付着を確実に防止でき、コンロバーナ２の点火不良をより確実に防止できる。
【００５１】
また、バーナリング２４の上面より上方位置に点火炎出口２１０が設けられているから、バーナリング２４の上面に流れ落ちた煮こぼれがその点火炎出口２１０を通じてコンロ筐体１０の内部に侵入し難い。これにより、点火電極３４の放電部やその周辺への煮こぼれの付着をより確実に防止できる。よって、コンロバーナ２の点火不良をより確実に防止できる。
【００５２】
また、バーナボディ２１の外周にバーナリング２４が一体形成されているから、バーナボディ２１の外周面を伝って流れ落ちる煮こぼれが確実にバーナリング２４の上面へ導かれる。これにより、点火電極３４の放電部やその周辺への煮こぼれの付着をより確実に防止でき、コンロバーナ２の点火不良をより確実に防止できる。
【００５３】
さらに、点火炎出口２１０の上縁部に、バーナボディ２１の外周側へ斜め上向きの傾斜面が設けられているから、パイロットバーナ３３から火炎導通路Ｓ２へ送り込まれた点火炎が斜め上方へ向けて導出される。従って、その点火炎出口２１０の上方位置の主炎孔２２０から噴出される混合ガスへ点火炎が一層火移りし易く、コンロバーナ２の点火不良をより確実に防止できる。
【００５４】
また、点火炎出口２１０の下縁部に、バーナボディ２１の外周側へ斜め下向きの傾斜面が設けられており、その点火炎出口２１０の下縁部周辺に流れ落ちた煮こぼれはバーナボディ２１の外周側下方へ導かれる。そのため、火炎導通路Ｓ２を通じてコンロ筐体１０の内部へ煮こぼれが侵入し難い。これにより、点火電極３４の放電部やその周辺への煮こぼれの付着をより確実に防止でき、コンロバーナ２の点火不良をより確実に防止できる。
【００５５】
さらに、点火炎出口２１０の下縁部とその側方位置に設けられる主炎孔２２０の下縁部とが同一高さに設定されているから、火炎導通路Ｓ２を通じて点火炎出口２１０の外部へ導出される点火炎が速やかにその点火炎出口２１０の側方位置に設けられた主炎孔２２０へ到達する。従って、その主炎孔２２０から噴出される混合ガスに点火炎が火移りし易く、コンロバーナ２の点火不良を確実に防止できる。
【００５６】
また、点火炎出口２１０とその上方位置に設けられた主炎孔２２０との間に、上記混合ガスの噴出方向と略同方向に延びる隔壁（凸部上壁２１６）が設けられているから、上述した逆火をより確実に防止できる。
【００５７】
本発明は上記実施の形態に限定されず、図４および図５に示すように、ボディ外周壁２１２の外周面で且つバーナリング２４の上面より上方位置に、上述した点火炎出口２１０が開設され、主炎孔２２０は、ヘッド外周壁２２２の下端部の全周に亘って均等に配設されたものとしてもよい。
【００５８】
このものでは、点火炎出口２１０が主炎孔２２０に干渉されず、ヘッド外周壁２２２の全周に亘って均一に主炎孔２２０を配設することができるから、バーナヘッド２２の外周に炎（混合ガスの燃焼炎）を均一に分布させることが可能である。これにより、調理器具に対する加熱ムラが低減する。
【００５９】
また、上記混合ガスの噴出方向と略同方向に延びるボディ上壁２１４が、点火炎出口２１０とその上方位置に設けられた主炎孔２２０との間の隔壁となるから、上述した逆火も防止できる。
【００６０】
さらに、ヘッド外周壁２２２の外周より大径に設定されたボディ外周壁２１２の外周面に点火炎出口２１０が開設されている、即ち、点火炎出口２１０が主炎孔２２０の形成位置より外周側に配置されているから、上述した逆火をより確実に防止できる。
【００６１】
また、図６に示すように、点火炎出口２１０の上方位置に設けられる主炎孔２２０の下面部（ボディ上壁２１４の上面部）が、バーナ部２Ａの外周方向へ下方傾斜しているものとしてもよい。
【００６２】
このものでは、混合ガスが点火炎出口２１０の上方位置に設けられた主炎孔２２０から斜め下方へ向けて、点火炎に接近するように噴出されるから、その混合ガスへ点火炎が火移りし易い。よって、コンロバーナ２の点火不良を確実に防止できる。
【００６３】
尚、上記実施形態では、バーナボディ２１の外周にバーナリング２４が一体形成されているが、図６に示したように、バーナリング２４をバーナボディ２１と別体で設けてもよい。
【符号の説明】
【００６４】
１・・・・・ガスコンロ
１０・・・・コンロ筐体
１１・・・・天板
１１０・・・バーナ用開口
２・・・・・コンロバーナ
２Ａ・・・・バーナ部
２１・・・・バーナボディ
２１０・・・点火炎出口
２２・・・・バーナヘッド
２２０・・・主炎孔
２４・・・・バーナリング
３３・・・・パイロットバーナ
３４・・・・点火電極
Ｓ１・・・・間隙
Ｓ２・・・・ガス導通路
Ｓ３・・・・火炎導通路
【図１】
2013253708.tif 000003
【図２】
2013253708.tif 000004
【図３】
2013253708.tif 000005
【図４】
2013253708.tif 000006
【図５】
2013253708.tif 000007
【図６】
2013253708.tif 000008
【図７】
2013253708.tif 000009